(57)【要約】      （修正有）【課題】本発明は手術対象部位を医療用鋼製ピンセットで把持する場合において、把持対象部位に強い回転力が作用しようとも、把持している左右の医療用鋼製ピンセットの把持部位が左右にずれたりすることなく、確実に把持することができる医療用鋼製ピンセットを提供することを目的とする。【解決手段】本発明に係る精密作業用ピンセットは、先端部の内側内面の平坦な左右の当接面同士６、６で手術対象部位を把持し、該把持部の平坦な端末から所定長の対向面の一方に先端部を除く内面に把持部の端末近傍から所定長の長さに亘って対向するピンセットの一方の内面に深さ側に向けて先端が尖った断面三角形状のＶ溝３を形成し、該Ｖ溝３と対向する他方の内面に、断面三角形状の凸状部４を有する構造である。【選択図】図１
2018143558.tif 000002
【特許請求の範囲】
【請求項１】
手術対象部位を把持する医用を含む精密作業用ピンセットであって、該医療用鋼製ピンセットの先端部の内側内面の平坦な左右の当接面同士で手術対象部位を把持物で把持し、該把持部の平坦な端末から所定長の対向面の一方に先端部を除く内面に把持部の端末近傍から所定長の長さに亘って対向するピンセットの一方の内面に深さ側に向けて先端が尖った断面三角形状のＶ溝を形成し、該Ｖ溝と対向する他方の内面に、該Ｖ溝に嵌合する先端が尖った断面三角形状の凸条部を形成し、該左右の内面の一方に形成したＶ溝に前記凸条部が嵌合状態となるか、又は嵌合状態から離脱し、該ピンセットのＶ溝と、該Ｖ溝に嵌合する先端が尖った断面三角形状の凸条部は嵌合状態が凹部と凸部の嵌合状態で当接又は離反する構造であることを特徴とする医療用鋼製ピンセット。
【請求項２】
請求項２記載の医療用鋼製ピンセットの左右の所定長の先端部が当接又は離反し、該当接又は離反する端末から対向する内面の所定長さに亘り、一方のピンセットの内面に所定長の先端が尖った断面三角形状の凸条部を形成し、該先端が尖った断面三角形状の凸条部と対向する他方の医療用鋼製ピンセットの内面に該断面三角形状の凸条部が嵌合する断面Ｖ溝が形成されていることを特徴とする医療用鋼製ピンセット。
【請求項３】
請求項３記載の医療用鋼製ピンセットの左右の対向する基部寄りの内面の一方にストッパーピンを固定し、該ストッパーピンの他端は対向する医療用鋼製ピンセットの内面に当接する構造としたことを特徴とする医療用鋼製ピンセット。
【発明の詳細な説明】
【技術分野】
【０００１】
本発明はストレート形状の医療用鋼製ピンセットに関する。
【背景技術】
【０００２】
従来のストレート型のピンセット形状の医療用鋼製ピンセットとして、把持部分に指の腹部分が当たる程度の凹部を設けたことで、把持部分に対する手の指先の位置を一定にし、外科手術のような長時間の細かい作業を疲れることなく行なうことを可能にした発明が存する（特開平９−７５３６１号公報）。
【先行技術文献】
【特許文献】
【０００３】
【特許文献１】特開平９−７５３６１号公報
【発明の概要】
【発明が解決しようとする課題】
【０００４】
上記従来の医療用鋼製ピンセットは把持部分に指の腹部分が入る程度の大きさの凹部を設けたことを特徴とする医療用鋼製器具構造である。把持部分に対する指の腹部分が入る大きさの凹部を設けることにより、手に安定した状態で把持され、長時間の細かい作業を行なうことを可能とし、外科手術のように長時間の細かい精密な作業を行なうことを可能にした医療用鋼製器具である。しかし、上記従来の発明は医療用鋼製ピンセットの内面同士の当接面は平坦な当接面であるために、把持対象物に強い回転力等が作用した場合、把持部の指の位置がずれる等によって該把持対象物を確実に固定保持することが困難であった。
【０００５】
本発明は手術対象部位を医療用鋼製ピンセットで把持する場合において、把持対象部位に強い回転力が作用しようとも、把持している左右の医療用鋼製ピンセットの把持部位が左右にずれたりすることなく、確実に把持することができる医療用鋼製ピンセットを提供することを目的とする。
【課題を解決するための手段】
【０００６】
手術対象部位を把持する医用を含む精密作業用ピンセットであって、該医療用鋼製ピンセットの先端部の内側内面の平坦な左右の当接面同士で手術対象部位を把持物で把持し、該把持部の平坦な端末から所定長の対向面の一方に先端部を除く内面に把持部の端末近傍から所定長の長さに亘って対向するピンセットの一方の内面に深さ側に向けて先端が尖った断面三角形状のＶ溝を形成し、該Ｖ溝と対向する他方の内面に、該Ｖ溝に嵌合する先端が尖った断面三角形状の凸条部を形成し、該左右の内面の一方に形成したＶ溝に前記凸条部が嵌合状態となるか、又は嵌合状態から離脱し、該ピンセットのＶ溝と、該Ｖ溝に嵌合する先端が尖った断面三角形状の凸条部は嵌合状態が凹部と凸部の嵌合状態で当接または離反する構造であることを特徴とする医療用鋼製ピンセットである。
【０００７】
請求項２記載の医療用鋼製ピンセットの左右の所定長の先端部が当接又は離反し、該当接又は離反する端末から対向する内面の所定長さに亘り、一方のピンセットの内面に所定長の先端が尖った断面三角形状の凸条部を形成し、該先端が尖った断面三角形状の凸条部と対向する他方の医療用鋼製ピンセットの内面に該断面三角形状の凸条部が嵌合する断面Ｖ溝が形成されていることを特徴とする医療用鋼製ピンセットである。
【０００８】
請求項３記載の医療用鋼製ピンセットの左右の対向する基部寄りの内面の一方にストッパーピンを固定し、該ストッパーピンの他端は対向する医療用鋼製ピンセットの内面に当接する構造としたことを特徴とする医療用鋼製ピンセットである。
【発明の効果】
【０００９】
本発明は、被施術対象部位の把持を本発明に係る医療用鋼製ピンセットで把持するときに、先端部の左右の把持面が平坦な当接面に形成されているために、医療用器具やガーゼ等の把持対象を把持する場合に、医療用鋼製ピンセットの先端部の左右の平坦な当接部で該把持対象物を確実に且つ的確に把持できる結果、把持対象物は小さな力で確実に把持でき、且つ安心して把持することができる。しかも、ピンセットの先端部で把持対象物を把持しているときは、ピンセットの先端部が摩擦抵抗の大きい粗面化処理をされているために、把持物に過度の把持力を加えなくても、把持対象物を確実に保持することができ、安心して医療行為をすることができる。
さらに、把持がピンセットの先端部の左右の平坦面で確実に保持されるために、把持対象物に過度の力を作用させることなく円滑にピンセットによる把持作業が確実になされる。
【００１０】
また、把持対象物を左右先端部の平坦面で把持しているときに、把持部の先端部から所定長の一方の先端が尖った断面三角形状の凸条部４と、該凸条部４を嵌合させる断面Ｖ溝３で先端部の把持物を確実に把持できる。すなわち、把持する左右のピンセットの内側内面の先端部寄りの内面の一方に向けて形成された先端が尖った断面三角形状の凸条部４と、該凸条部４に嵌合する断面Ｖ字状の凹溝３とによる嵌合状態が密着状に嵌合される為、医療用鋼製ピンセットに過度の把持力を与えなくとも、また把持物を把持した状態で回転方向に動かす場合でも、医療用鋼製ピンセットの先端部に把持された把持対象物はその近傍に位置する断面三角形状のＶ溝と、該Ｖ溝に嵌合する先端が尖った断面三角形状の凸条部４の嵌合によって強固に保持対象物を確実に保持することができる。
なお、凸条部４は先端部の断面形状が基部側に連続的に設けた断面凸条部４に比べて、断面積が徐々に小さくなるように形成されている。この理由は、先端部側の嵌合部の接触面積を大きくし、後方部の断面積形状を小さくすることにより、ピンセットの先端部側の接触面積が大きくなるので、ピンセットの前方に大きな力が作用し、より小さな力で先端部の把持対象物を保持できるという効果に基づく。
【図面の簡単な説明】
【００１１】
【図１】本発明の一実施例を示す医療用鋼製ピンセットの平面図である。
【図２】本発明の一実施例を示す左側の医療用鋼製ピンセットは、内面に形成した三角形状の凸条部を示す平面図であり、右側に形成したＶ溝は三角形状の凸条部を嵌合させるＶ溝を示す平面図である。
【図３】本発明の一実施例を示す医療用鋼製ピンセットの表面を示す平面図である。
【図４】本発明の一実施例を示す医療用鋼製ピンセットの把持部側の左右の内面を示す一部切欠斜視図である。
【図５】（ａ）本発明の一実施例を示す医療用鋼製ピンセットの左側の断面Ｖ溝と右側に位置する先端が尖った断面凸条部が対向し、左右の凹凸部同士が嵌合する前の状態を示す断面図である。（ｂ）本発明の一実施例を示す医療用鋼製ピンセットの左側のＶ溝と右側の先端が尖った断面凸条部が嵌合した状態を示す断面図である。
【発明を実施するための形態】
【００１２】
以下、本発明の実施の形態を図面に基づき説明する。
図１は本発明の一実施例を示す医療用鋼製ピンセットの平面図である。図１に示す医療用鋼製ピンセットの左右の先端部内面６の端部から所定の長さに亘って図１に示す左側の内面には、Ｖ溝３を形成し、該Ｖ溝３に対向する右側のピンセットの先端が尖った断面三角形状の凸条部４はピンセットの左右を閉じるときに、Ｖ溝３に先端が尖った凸条部４が嵌合することとなる。Ｖ溝３に右側の凸条部４を嵌合させない限りは所定間隔をおいて左右のピンセットは所定距離をおいて対向している。
【００１３】
図１に示す医療用鋼製ピンセットの先端部内面６、６は把持対象物を把持するために平坦に形成されている。医療用鋼製ピンセットの左右の先端部の対向面が平坦な把持部６、６を閉じると、先端部内面６、６同士は当接し、右側の内面の所定長に亘って形成した断面三角形状の凸条部４が左側の内面に形成したＶ溝３に嵌合し、先端部内面の把持部６、６同士が当接し、手術対象部位の治療部位に医療用鋼製医療用鋼製ピンセットで脱脂綿等を把持する。
【００１４】
医療用鋼製ピンセットの先端部内面６、６の基部側端末から断面三角形状の先端が尖った凸条部４が形成されている。この先端が尖った凸条部４に対向する内面には、凸条部４の長さに相当する位置に該凸条部４が嵌合する断面Ｖ溝３が形成されている。
【００１５】
医療用鋼製ピンセットの内面の先端部６の近傍から略中間部位に形成された左側のＶ溝３と該Ｖ溝３に嵌合する先端が尖った断面三角形状の凸条部４は先端部内面の把持部６、６で把持する時に、左右の端末で一体に合体した裾部に向かうに従って左右対称のＶ溝３の深さが深くなるように形成されている。これによって、使用者はピンセットを把持する場合、Ｖ溝３に先端が尖った断面三角形状の凸条部４が密着状態で嵌合することより把持力が一層、増すこととなり、より強い把持力によって把持をしなくとも、医療用鋼製ピンセットを把持する指がピンセットの表面からすべることが無く、確実な把持力が得られ、安心して把持することができる。また、Ｖ溝３は先端部から医療用鋼製ピンセットの表面の左右の幅方向端末に向けて徐々に深いＶ溝に形成される。
【００１６】
図２は本発明に係る医療用鋼製ピンセットの左右対向する内面を示す平面図であり、左側の先端が尖った断面三角形状の凸条部４と、右側には左側の凸条部の先端を嵌合させる断面Ｖ溝３が形成されている。
図１および図３に示す符号５は医療用鋼製ピンセットの把持部であり、医療用鋼製ピンセットの把持状態では、例えば親指と人差し指で左右のピンセットを把持する場合、把持する親指と人差し指で把持する時に、把持する指が把持部５からすべることが無く確実に把持できる構造としたものである。図１、図２、図４及び図５に示すように、ピンセットの先端部の左右内面の把持部６、６の端末近傍から所定長の長さに亘って内面先端が尖ったＶ溝３が形成される。Ｖ溝３に先端部が尖った断面三角形状の凸条部４が嵌合する。
このようなピンセットの内面の所定長に亘ってＶ溝３を形成し、該Ｖ溝に対向する部位のピンセットの内面には先端が尖った断面三角形状の凸条部４を形成することにより、手術中における把持対象物を確実に嵌合状態で保持することができ、作業時間にロスが無く、患者に対する負担も軽減される。
【００１７】
図１において、符号５は医療用鋼製ピンセットの１の基部寄りの把持部を示し、左右のピンセットの対向する内面の一方の内面に対し、水平方向に向けてストッパーピン７が設けられている。このストッパーピン７により、先端部の把持部６、６に過度の把持力が加わらないように制御されている。図４に示す符号５は、医療用鋼製ピンセットの左右の対向する内面の一方に断面Ｖ溝が先端部寄りから所定長に亘り例えば先端部内面の把持部５の端末から、全長の３分の１の長さに亘って断面三角形状の頂部が尖った凸条部４を形成し、対抗する内面には該凸条部４が対向する内面の一方に形成した断面Ｖ溝に嵌合される。本例では、医療用鋼製ピンセット同士の嵌合力を増すために、先端部寄りの嵌合力に比べ、基部側は嵌合力が弱くなるようにして、先端部寄りに嵌合力を増して、ピンセット作業者の負担軽減を図っている。
【００１８】
図４は医療用鋼製ピンセットの図１に示すＡ-Ａ線断面における医療用鋼製ピンセットの先端部の内側に設けた断面Ｖ型形状の先端が尖った断面三角形状を示す一部切欠斜視図である。医療用鋼製ピンセットの先端部の一方の内側に設けた断面Ｖ型形状のＶ溝３と対向する他方の内側に設けた先端が尖った断面三角形状の凸条部４が設けられている。断面Ｖ型形状の凹溝３と断面Ｖ型形状の先端が尖った凸条部４は医療用鋼製ピンセットを閉じるときに、断面Ｖ溝３と断面三角形状の先端が尖った凸条部４は嵌合状態となる。
【００１９】
図５（ａ）は医療用鋼製ピンセットの断面三角形状の凹条部３と凸条部４が嵌合する前の状態を示す。図５（ｂ）は医療用鋼製ピンセットの左右が嵌合した状態を示す断面図であり、断面三角形状の先端部が尖っている状態を示す。
【００２０】
図１の符号１は本発明に係る医療用鋼製ピンセットを示す。図２は医療用鋼製ピンセットの中間部位に相当する左右の表面把持部を示す平面図である。医療用鋼製ピンセットの把持部３の左右の表面には、図２に示すように、手術作業中に医療用鋼製ピンセットの使用者が作業中にしっかりと確実に手術対象物を把持することができるように、把持部位である医療用鋼製ピンセットの左右表面に、先端部中央の一点から左右対称に略ハの字状に広がり、且つ頂部の先端から左右の端部に向けて断面Ｖ溝の深さが徐々に深くなる溝が等間隔で且つ規則正しく形成されている。すなわち、先端の中央部における溝の深さが左右の裾に向けて徐々に深くなる断面Ｖ溝が形成される。
【００２１】
医療用鋼製ピンセットは基部２が左右一体に形成され、該基部２ａから医療用鋼製ピンセットの先端に向けて徐々に間隔が広がり、先端部内面の把持部６、６同士で被施術対象部位（図示せず）やガーゼ等を把持するものであり、左右対称形状である。
【００２２】
医療用鋼製ピンセットの左右の基部内面は一体的に固定されており、基部２ａから先端把持部６、６に向けて広がり、途中からは左右が緩やかな間隔をおいて広がり、医療用鋼製ピンセットの基部寄り内面の一方に水平方向にストッパーピン７を対向する医療用鋼製ピンセットの内面に固定する。医療用鋼製ピンセットの先端把持部６、６に過度の応力が作用しない構造としている。医療用鋼製ピンセットの先端部内面は把持対象物をピンセットで把持したときに、ストッパーピン７によって該把持対象物に過度の把持力が作用しない構造である。
【００２３】
医療用鋼製ピンセットは先端部の把持部６、６を閉じた時に医療用鋼製ピンセットの左右の把持部６、６に過度の把持力が作用するのを阻止するために、対向する一方の基部寄り又は中間部位の内面にストッパーピン７を垂直に固定する。ストッパーピン７の他端はフリーの状態に形成されている。
【００２４】
医療用鋼製ピンセットの先端部の把持部６、６によりガーゼや脱脂綿、手術対象部位等が把持される。本発明に係る医療用鋼製ピンセットは左右の間隔が緩やかに広がる間隔に形成されており、医療用鋼製ピンセットの先端部内面６、６同士は左右が閉じた時に左右の先端部内面同士によって、ガーゼ等を把持する。
左右の先端部内面の近傍位置から全長の三分の一程の内面に沿って、一方の対向する内面には所定長に亘って、一方の内面に断面Ｖ溝を形成し、該Ｖ溝と対向する他方の内面に該Ｖ溝に嵌合する先端部が尖った断面三角形状の凸条部を形成する。
【００２５】
図５（ａ）、（ｂ）は図１に示す医療用鋼製ピンセットの先端部寄りのＡ−Ａ線の拡大断面図である。図５（ａ）に示す左側の断面図には断面Ｖ溝３が形成され、該断面Ｖ溝３と対向する右側の断面図には断面三角形状の凸条部４が形成される。左側の断面Ｖ溝３と右側に形成した断面三角形状の凸条部４は所定の間隔をおいて対峙しており、ピンセットの左右が開の状態から閉の状態を示す図５（ｂ）のように左側の断面Ｖ溝３に、右側の先端部が尖った断面三角形状の凸条部４が嵌合する。こうして左右の嵌合部は安定した嵌合状態を維持できる結果、手術作業中にピンセットの先端部での把持対象物（図示せず）の確実な把持と、安定した保持状態が継続して成される。
【００２６】
図４は医療用鋼製ピンセットの左右の嵌合部位が嵌合する前の状態を示す斜視図である。ピンセットを閉じた状態では、断面Ｖ溝３と断面三角形状の凸条部４が嵌合し、医療用鋼製ピンセットの使用中は断面Ｖ溝３と断面三角形状の凸条部４が嵌合し、左右の医療用鋼製ピンセットの嵌合状態が確実に保持され、医療行為が円滑に処理されることとなる。
【００２７】
請求項２記載の発明は、医療用鋼製ピンセットの左右表面の中心部位は平坦で、左右の中間部位の表面に連続したＶ溝を形成し、該Ｖ溝の中心部は平坦で、該Ｖ溝の左右の両端部位に向けて徐々に深溝を形成したことを特徴とする請求項１記載の医療用鋼製ピンセットである。
【産業上の利用可能性】
【００２８】
本発明は、医療分野における医療用鋼製ピンセット等として、手術対称部位の把持作業等がスムーズに行なわれ、施術者及び患者に対しても信頼のおける作業が達成される。
【符号の説明】
【００２９】
１      医療用鋼製ピンセット
２      基部寄りの二股分岐部
２ａ      一体化した基部
３      ピンセットの先端部寄り左側内面に形成した所定長の底部先端が尖ったＶ溝
４      ピンセットの把持部に設けた凸部
５      ピンセットの先端部の左右対向する平坦な内面に設けた把持部
６      ピンセットの先端部寄りから途中部位の内面のＶ溝に嵌合する先端が尖った断面三角形状の凸条部
７      ストッパーピン
【図１】
2018143558.tif 000003
【図２】
2018143558.tif 000004
【図３】
2018143558.tif 000005
【図４】
2018143558.tif 000006
【図５】
2018143558.tif 000007